(57)【特許請求の範囲】
【請求項１】
流量測定装置の流路途中の流量センサの設置箇所に対応して設けられた整流器収容部にその開口部側から装着されて、前記流量センサにて流量検出される流体を整流する筒形の整流器であって、
前記整流器収容部の一部を構成する少なくとも一対の対向する内壁に略平行な外側面を有し、
前記外側面の縁部近傍には前記装着方向に対して略平行に延びるようにリブが配設されており、前記リブは装着時に前記整流器収容部の内壁に圧着されて潰れるように所定高さの先細り形状をしており、その高さは前記整流器収容部の内壁と前記外側面とにより形成されるすきまの幅をやや超えるものである
ことを特徴とする整流器。
【請求項２】
請求項１記載の整流器において、
前記リブが配設される前記縁部近傍は、前記リブが前記内壁に圧着されて潰れる際に十分な強度を有する筐体部材の厚みに相当する部分である
ことを特徴とする整流器。
【請求項３】
請求項２記載の整流器において、
前記リブは、三角柱形状をしている
ことを特徴とする整流器。
【請求項４】
請求項３記載の整流器において、
前記リブは、装着を円滑にするために前記装着方向に対して所定角度だけ傾斜した傾斜面を有する
ことを特徴とする整流器。
【請求項５】
請求項４記載の整流器において、
断面凹状をした外枠部及びこの外枠部に配設された整流板を有する整流板ユニットと、前記整流板ユニットを両側から挟むようにして取り付けられ、四角形筒状の外枠部及びこの外枠部に固着されたメッシュを有する第１及び第２メッシュユニットとから構成され、
前記リブは、前記第１及び第２メッシュユニットの外枠部の外側面に配設されている
ことを特徴とする整流器。
【請求項６】
請求項５記載の整流器において、
前記リブは、更に整流板ユニットにも配設されている
ことを特徴とする整流器。
【請求項７】
請求項４又は５記載の整流器において、
前記リブは、前記外側面の縁部の全長にわたって連続的に延設されている
ことを特徴とする整流器。
【請求項８】
請求項４又は５記載の整流器において、
前記リブは、前記外側面の縁部の上部及び下部にそれぞれ配設されている
ことを特徴とする整流器。
【発明の詳細な説明】
【０００１】
【発明の属する技術分野】
本発明は、電子式ガスメータ等の流路に交換可能に装着されるユニット化された整流器に関し、特に、装着が容易で装着安定性に秀れた整流器を提供することを課題としている。
【０００２】
【従来の技術】
従来、電子式ガスメータ等の流路には、流量検出精度を高める目的でメッシュユニット及び整流板ユニットを含む整流器が装着されることが知られている。そして、この整流器を交換可能にユニット化するというアイディアがあるが、従来の整流器及びその取り付け構造では、取り付け後にガタツキやズレが発生しやすく、器差変動等の性能変動を誘導しがちであった。このような問題点及びこの問題点を有する従来例を以下に図面を用いて説明する。
【０００３】
図９は、従来の整流器が設置されたガスメータの一例を示す断面図である。図９に示すように、このガスメータは、箱型状の外形をしたガスメータ本体７の上面には、ガス供給源側及びガス消費源側に至るそれぞれのガス配管に連接される円筒状の流入口７１及び流出口（付図示）が設けられている。流入口７１からガスメータ本体７に形成された流路を経て流出口側に流出していく。この流路の途中には、断面凹状の外枠部に配設された整流板８１を含む箱形状の整流器８を収容する整流器８の形状に対応した整流器収容部７２が形成されている。この整流器収容部７２の内壁にはセンサ孔７３が設けられており、ここに測定面が配置されるように流量センサ７４が取り付けられている。
【０００４】
また、ガスメータ本体７の背面においては、整流器収容部７２に装着された整流器８が、パッキン７５を介して、裏面カバー７６によって固定されている。この裏面カバー７６は、ネジ止め部７７により、ガスメータ本体７にネジ止め固定されている。また、ガスメータ本体７には、遮断弁装置、圧力検出器、感震器等の関連部品７８や電池７９が所定位置に配置されている。そして、このガスメータ本体７の表面には、各種電子部品を搭載する電子基板９１を挟んで、表示部９２、操作部９３等が配設された表カバー９が覆設されている。
【０００５】
そして、このような構成のガスメータにおいては、上記整流器８により整流されて流量センサ７４により検出されたガスの流量を、ここでは図示しないマイコンにより積算して、その値を表示部９２上に表示させる。また、流量等の異常時にはマイコンにより指令されて、流路が遮断弁装置により遮断される。
【０００６】
【発明が解決しようとする課題】
ところで、上記整流器収容部７２は、組立時に整流器８を装着しやすくするために、整流器８の外形よりもやや大きめに形成されている。すなわち、整流器８と整流器収容部７２の間にはすき間が形成されることになる。そして、組立時には、整流器８は、整流器収容部７２に遊嵌された後、パッキン７５を介して裏面カバー７６によって押さえ付けられるのみである。
【０００７】
したがって、輸送時の震動やパッキン７５の経年変化等に伴い裏面カバー７６による押圧力が低下すると、整流器８が上記すき間を遊動する、いわゆる整流器８のガタツキが発生しがちであった。この結果、計測精度が不安定になったり、メータの個体差や器差を発生させるという問題があった。また、整流器８を押さえ付けるためのパッキン７５も必須であり、部品点数及び組立工数が増加するという問題もあった。
【０００８】
よって本発明は、上述した現状に鑑み、装着が容易であり、装着後にも長期にわたってガタツキが少ない整流器を提供することを課題としている。
【０００９】
【課題を解決するための手段】
上記課題を解決するためになされた請求項１記載の整流器は、図１、図２及び図８に示すように、流量測定装置の流路途中の流量センサの設置箇所に対応して設けられた整流器収容部５４にその開口部側から装着されて、前記流量センサにて流量検出される流体を整流する筒形の整流器１であって、前記整流器収容部５４の一部を構成する少なくとも一対の対向する内壁に略平行な外側面を有し、前記外側面の縁部近傍には前記装着方向に対して略平行に延びるようにリブ（Ｌ１〜Ｌ３、Ｌ１１等）が配設されており、前記リブは装着時に前記整流器収容部５４の内壁に圧着されて潰れるように所定高さＨの先細り形状をしており、その高さＨは前記整流器収容部５４の内壁と前記外側面とにより形成されるすきまの幅Ｇをやや超えるものであることを特徴とする。
【００１０】
請求項１記載の発明によれば、整流器収容部５４の内壁に略平行な外側面の縁部近傍には、整流器収容部５４への装着方向に略平行に延びるようにリブ（Ｌ１〜Ｌ３、Ｌ１１等）が配設されている。したがって、これを利用して整流器１を所定位置にスムーズに誘導することができる。また、リブ（Ｌ１〜Ｌ３、Ｌ１１等）は、リブは装着時に整流器収容部５４の内壁に圧着されて潰れるように所定高さＨの先細り形状をしており、その高さＨは整流器収容部５４の内壁と外側面とにより形成されるすきまの幅Ｇをやや超えるものである。したがって、整流器収容部５４に対して整流器１を圧入するようにして、少ない力で容易に整流器１を装着することができる。そして、装着完了後には、潰れて圧着されたリブ（Ｌ１〜Ｌ３、Ｌ１１等）により、長期にわたり安定的に整流器１が所定位置に保持される。
【００１１】
上記課題を解決するためになされた請求項２記載の整流器は、図２に示すように、請求項１記載の整流器において、前記リブ（Ｌ１〜Ｌ３、Ｌ１１等）が配設される前記縁部近傍は、前記リブが前記内壁に圧着されて潰れる際に十分な強度を有する筐体部材の厚みＴ１、Ｔ２に相当する部分であることを特徴とする。
【００１２】
請求項２記載の発明によれば、リブ（Ｌ１〜Ｌ３、Ｌ１１等）が配設される縁部近傍は、リブが内壁に圧着されて潰れる際に十分な強度を有する筐体部材の厚みＴ１、Ｔ２に相当する部分であるので、装着時及び装着後に整流器１が変形することが少ない。
【００１３】
上記課題を解決するためになされた請求項３記載の整流器は、図１及び図２に示すように、請求項２記載の整流器において、前記リブ（Ｌ１〜Ｌ３、Ｌ１１等）は、三角柱形状をしていることを特徴とする。
【００１４】
請求項３記載の発明によれば、リブ（Ｌ１〜Ｌ３、Ｌ１１等）をシンプルな三角柱形状にしたので、リブの形成が容易なうえ、圧着されて容易にその先端部が潰れる。
【００１５】
上記課題を解決するためになされた請求項４記載の整流器は、図８に示すように、請求項３記載の整流器において、前記リブ（Ｌ１〜Ｌ３、Ｌ１１等）は、装着を円滑にするために前記装着方向に対して所定角度だけ傾斜した傾斜面Ｌ１ａ、Ｌ２ａを有することを特徴とする。
【００１６】
請求項４記載の発明によれば、リブ（Ｌ１〜Ｌ３、Ｌ１１等）は、装着方向に対して所定角度だけ傾斜した傾斜面Ｌ１ａ、Ｌ２ａを有するので、整流器１の装着が更に容易になる。すなわち、上述のように、装着安定性を高めるため、リブ（Ｌ１〜Ｌ３、Ｌ１１等）の高さＨは上記すきまの幅Ｇをやや超えるように形成されているが、この傾斜面Ｌ１ａ、Ｌ２ａを利用することによりスムーズに整流器１を圧入することができる。
【００１７】
上記課題を解決するためになされた請求項５記載の整流器は、図２に示すように、請求項４記載の整流器において、断面凹状をした外枠部及びこの外枠部に配設された整流板１４を有する整流板ユニット１３と、前記整流板ユニット１３を両側から挟むようにして取り付けられ、四角形筒状の外枠部及びこの外枠部に固着されたメッシュを有する第１及び第２メッシュユニット１１及び１２とから構成され、前記リブ（Ｌ１〜Ｌ３、Ｌ１１等）は、前記第１及び第２メッシュユニット１１及び１２の外枠部の外側面に配設されていることを特徴とする。
【００１８】
請求項５記載の発明によれば、リブ（Ｌ１〜Ｌ３、Ｌ１１等）は、整流板ユニット１３を両側から挟む第１及び第２メッシュユニット１１及び１２の外枠部の外側面に配設されているので、圧着部位をより隅部に設定することが可能になる。
【００１９】
上記課題を解決するためになされた請求項６記載の整流器は、図３（Ａ）に示すように、請求項５記載の整流器において、前記リブ（Ｌ２１等）は、更に整流板ユニット１３にも配設されていることを特徴とする。
【００２０】
請求項６記載の発明によれば、リブ（Ｌ２１等）は、更に整流板ユニット１３にも配設されているので、上記第１及び第２メッシュユニット１１及び１２に配設されたリブ（Ｌ１〜Ｌ３、Ｌ１１等）と相まって、整流器１の装着安定性が非常に高くなる。
【００２１】
上記課題を解決するためになされた請求項７記載の整流器は、図３（Ｂ）に示すように、請求項４又は５記載の整流器において、前記リブ（Ｌ３１等）は、前記外側面の縁部の全長にわたって連続的に延設されていることを特徴とする。
【００２２】
請求項７記載の発明によれば、リブ（Ｌ３１等）は、前記外側面の縁部の全長にわたって連続的に延設されているので、整流器１の圧入及び所定位置への誘導がよりスムーズになるうえ、装着安定性も非常に高くなる。
【００２３】
上記課題を解決するためになされた請求項８記載の整流器は、図３（Ｃ）に示すように、請求項４又は５記載の整流器において、前記リブ（Ｌ１、Ｌ５１等）は、前記外側面の縁部の上部及び下部にそれぞれ配設されていることを特徴とする。
【００２４】
請求項８記載の発明によれば、リブ（Ｌ１、Ｌ５１等）は、外側面の縁部の上部及び下部にそれぞれ配設されているので、圧着部位が効果的に分散されて、装着安定性も非常に高くなる。
【００２５】
【発明の実施の形態】
以下、本発明の実施の形態を図面に基づいて説明する。
まず、図１及び図２を用いて、本発明の整流器の一実施形態について説明する。図１及び図２はそれぞれ、本発明の整流器の一実施形態を示す斜視図及び分解斜視図である。
【００２６】
図１及び図２に示すように、本実施形態の整流器１は、第１及び第２メッシュユニット１１及び１２、並びに整流板ユニット１３から構成される。これらユニット１１、１２及び１３はそれぞれ別途に形成されて、これらが一体化されて一つの整流器１が形成される。このような整流器１は、例えば、後述するガスメータの流量センサが設置されている流路の途中に装着される。
【００２７】
第１メッシュユニット１１は、所定長の四角形筒状の外枠部、及びこの外枠部により形成される両開口面をそれぞれ覆い、本整流器１が装着される流路のガス流方向に対して垂直になるようにこの外枠部に固着されたメッシュ１５Ａ、１５Ｂを有する。これら外枠部及びメッシュはそれぞれ、例えば、耐熱性プラスティック製及び金属製である。この第１メッシュユニット１１の両側面縁部からは可撓性のある腕状の係止片１１１、１１３が突設されている。そして、これら係止片１１１、１１３のそれぞれの先端付近には内向する係止突起１１１ａ、１１３ａが形成されている。
【００２８】
また、第２メッシュユニット１２も第１メッシュユニット１１と同様の構成を有しており、所定長の四角形筒状の外枠部、及びこの外枠部により形成される内側開口面を覆い、本整流器１が装着される流路のガス流方向に対して垂直になるようにこの外枠に固着されたメッシュ１５Ｃを有する。これら外枠部及びメッシュもそれぞれ、例えば、耐熱性プラスティック製及び金属製である。この第２メッシュユニット１２の両側面縁部からも可撓性のある腕状の係止片１２２、１２４が突設されている。そして、これら係止片１２２、１２４のそれぞれの先端付近には内向する係止突起１２２ａ、１２４ａが形成されている。
【００２９】
一方、整流板ユニット１３は、所定長で断面凹状をした外枠部、及びこの外枠部の内壁に流路の断面を均等に分割するようにそれぞれ等間隔で平行に配設された複数の薄い板状の整流板１４を有する。これら外枠部及び整流板１４は共に、例えば、耐熱性プラスティック製である。この整流板ユニット１３には、対向する側面外壁がくりぬかれるようにして４つの係止溝１３１、１３２等（係止片１１３、１２４に対応する係止溝は付図示）が形成されている。詳細には、係止溝１３１は、上記係止片１１１の係止突起１１１ａがスライド可能なスライド溝１３１ｂ及び係止突起１１１ａに対応した形状の係止凹部１３１ａから構成される。また、整流板ユニット１３の外枠部の対向する内壁には、薄板状の上記複数の整流板１４がそれぞれスライド挿入される複数の溝１３５が形成されている。他の係止溝１３２等も同様であるのでここでは説明を省略する。
【００３０】
そして、上記整流板ユニット１３を両側から挟むように第１メッシュユニット１１及び第２メッシュユニット１２が組付けられて整流器１が形成され、この整流器１は、図１の矢印で示す方向に圧入されて、後述するガスメータ本体の整流器収容部に装着される。この整流器１を構成する第１及び第２メッシュユニット１１及び１２の外枠部の外側面には、細長い三角柱状のリブＬ１、Ｌ２、Ｌ３及びＬ１１等が延設されている。リブをシンプルな三角柱形状にすることにより、リブの形成が容易になるうえ、圧着されて容易にその先端部が潰れる。
【００３１】
なお、ここでは図示しないが複数の同型状のリブが第１メッシュユニット１１の他の側面、及び第２メッシュユニット１２の前側面及び他の側面にも延設されている。すなわち、この例では計８つのリブが設けられていることになる。このようにリブＬ１〜Ｌ３、Ｌ１１等は、整流板ユニット１３を両側から挟む第１及び第２メッシュユニット１１及び１２の外枠部の外側面に配設されているので、圧着部位をより隅部に設定することが可能になり、装着安定性を高める一助となる。
【００３２】
これらのリブＬ１、Ｌ２、Ｌ３及びＬ１１等は、第１メッシュユニット１１及び第２メッシュユニット１２の上記外側面の縁部近傍に、上記装着方向に対して略平行に延びるように配設されている。これらの材質は、第１メッシュユニット１１及び第２メッシュユニット１２の材質と同様のものである。これらのリブＬ１、Ｌ２、Ｌ３及びＬ１１等は、装着時にガスメータの収容部の内壁に圧着されて潰れるような先細り形状をしており、例えば上述のように細長い三角柱状をしており、その高さは収容部の内壁と整流器１の外側面とにより形成されるすきまの幅をやや超えるものである。この理由については後述する。
【００３３】
また、これらのリブＬ１、Ｌ２、Ｌ３及びＬ１１等は、図２に示すように、リブＬ１、Ｌ２、Ｌ３及びＬ１１等が内壁に圧着されて潰れる際に十分な強度を有する筐体部材の厚みＴ１、Ｔ２に相当する部分に配設されている。したがって、装着時や装着後にリブＬ１、Ｌ２、Ｌ３及びＬ１１等が内壁に圧着されても、整流器１の外形は変形することはない。よって、装着が容易であり、装着後の測定精度も安定する。なお、Ｔ３は整流器１の底面部の厚みを示している。
【００３４】
なお、上述のような構成の整流器１の組み立て時には、まず、複数の整流板１４がそれぞれ、整流板ユニット１３の複数の溝１３５にスライド挿入される。次に、上記係止片１１１、１１３の係止突起１１１ａ、１１３ａを、係止溝１３１、１３２のスライド溝１３１ｂ等上をスライドさせながら、係止凹部１３１ａ等まで誘導して、係止突起１１１ａ、１１３ａを係止凹部１３１ａ等に係合させる。これによって、第１メッシュユニット１１を整流板ユニット１３に固定する。
【００３５】
同様にして、第２メッシュユニット１２の整流板ユニット１３への固定時には、上記係止片１２２、１２４の係止突起１２２ａ、１２４ａを、係止溝１１３等のスライド溝１３２ｂ等上をスライドさせながら、係止凹部１３２ａ等まで誘導して、係止突起１２２ａ、１２４ａを係止凹部１３２ａ等に係合させる。なお、この第２メッシュユニット１２の整流板ユニット１３への固定を、上記第１メッシュユニット１１の整流板ユニット１３への固定より先に行ってもよいし、組み立て時間節約のために、第１メッシュユニット１１及び第２メッシュユニット１２を同時に整流板ユニット１３に固定するようにしてもよい。
【００３６】
このようにして組み立てられた整流器１は、上述したリブＬ１、Ｌ２、Ｌ３及びＬ１１等をガスメータ本体の収容部の内壁に圧着させて、それらの先端部を潰すようにして収容部に圧入する。リブＬ１、Ｌ２、Ｌ３及びＬ１１等は三角柱状をしているので、その先端部が潰れやすく、少ない力で容易に整流器１を装着することができる。また、この潰れによって整流器１の固定も確実になる。このように固定された整流器１は、例えば、整流板ユニット１３により上流側からのガス流を整流したり、メッシュユニット１１、１２によりガス流中に発生した渦を細かく砕いて流速分布を一様にしたり、ガスの逆流を防止したりする。
【００３７】
次に、図３を用いて、本発明の整流器に係る他の実施形態について説明する。図３（Ａ）、（Ｂ）及び（Ｃ）はそれぞれ、本発明の整流器に係る他の実施形態を示す斜視図である。
【００３８】
図３（Ａ）に示す実施形態においては、上記図１及び図２で示した実施形態に加えて、整流板ユニット１３の側面下部にもリブＬ２１が延設されている。また、ここでは図示しないが、このリブＬ２１と対向する他の側面下部にも、同型状のリブが形成されている。これらのリブＬ２１等も、図２で示したような整流板ユニット１３の厚みＴ３に相当する部分に形成されている。その理由は上述した通りである。これらリブＬ２１等の形状及び延設方向は、図１及び図２で示したリブＬ１、Ｌ２、Ｌ３及びＬ１１等と同等である。
【００３９】
このように、リブＬ２１等は、整流板ユニット１３にも配設されているので、上記第１及び第２メッシュユニット１１及び１２に配設された上記リブＬ１〜Ｌ３、Ｌ１１等と相まって、整流器１の装着安定性が非常に高くなる。
【００４０】
また、図３（Ｂ）に示す実施形態においては、上記図１及び図２で示した実施形態におけるリブＬ１、Ｌ２、Ｌ３及びＬ１１等の替わりに、第１メッシュユニット１１及び第２メッシュユニット１２の外側面の縁部の全長にわたって連続的にリブＬ３１、Ｌ３２、Ｌ３３、Ｌ３４及びＬ４１、Ｌ４２、Ｌ４３、Ｌ４４が延設されている。これらのリブＬ３１、Ｌ３２、Ｌ３３、Ｌ３４及びＬ４１、図２で示したような第１メッシュユニット１１及び第２メッシュユニット１２の厚みＴ１及びＴ２に相当する部分に形成されている。その理由は上述した通りである。また、これらリブＬ３１、Ｌ３２、Ｌ３３、Ｌ３４及びＬ４１、Ｌ４２、Ｌ４３、Ｌ４４の断面形状及び延設方向は、図１及び図２で示したリブＬ１、Ｌ２、Ｌ３及びＬ１１等と同等である。
【００４１】
このように、リブＬ３１等は、前記外側面の縁部の全長にわたって連続的に延設されているので、整流器１の圧入及び所定位置への誘導がよりスムーズになるうえ、装着安定性も非常に高くなる。
【００４２】
更に、図３（Ｃ）に示す実施形態においては、上記図１及び図２で示した実施形態に加えて、リブＬ５１、Ｌ５２、Ｌ５３、Ｌ５４及びＬ６１、Ｌ６２、Ｌ６３、Ｌ６４が延設されている。これらの設置部位は、第１メッシュユニット１１及び第２メッシュユニット１２上に形成された上記リブＬ１、Ｌ２、Ｌ３及びＬ１１等の延設方向の延長上、すなわち、ユニット１１及び１２の外側面の縁部上部にそれぞれ、リブＬ１、Ｌ２、Ｌ３及びＬ１１等と分散的に形成されている。これらリブＬ５１、Ｌ５２、Ｌ５３、Ｌ５４及びＬ６１、Ｌ６２、Ｌ６３、Ｌ６４もまた、第１メッシュユニット１１及び第２メッシュユニット１２の厚みに相当する部分に形成されている。その理由は上述した通りである。
【００４３】
このように、リブＬ１、Ｌ５１等は、整流器１（例えば、第１メッシュユニット１１）の外側面の縁部の上部及び下部にそれぞれ配設されているので、圧着部位が効果的に分散されて、装着安定性も非常に高くなる。
【００４４】
なお、上述の図３（Ａ）、図３（Ｂ）及び図３（Ｃ）で示した特徴的なリブの形状及び配置は、適宜組み合わせてもよい。
【００４５】
次に、上記図１、図２及び図３で示した整流器が装着されるガスメータの一例について図４〜図６を用いて説明する。図４、図５及び図６はそれぞれ、図１及び図２で示した整流器が装着されるガスメータのガスメータ本体の一例を示す平面図、背面図及び図４におけるＸＸ線断面図である。
【００４６】
上述した整流器１が装着されるガスメータは、図４、図５及び図６に示すガスメータ本体５と、ガスメータ本体５の正面側に覆設される図示しないガスメータカバーから構成される。なお、ここでは、ガスメータは、マイコンを装備して流量検出、すなわち、ガス使用量検出をしたり、ガス流異常を検出して異常処理等を行うことができる電子式ガスメータを想定している。
【００４７】
図４、図５及び図６に示すように、ガスメータ本体５は箱型状の外形をしており、例えば、アルミダイキャスト製である。このガスメータ本体５の上面には、ガス供給源側及びガス消費源側に至るそれぞれのガス配管に連接される円筒状の流入口５１及び流出口５２が設けられている。流入口５１から流入したガスは、正面からみてＵ字型のガスメータ本体５に形成された流路５３を経て、流出口５２側に流出していく。この流路５３の途中には、上記整流器１の形状に対応した整流器１の整流器収容部５４が形成されている。
【００４８】
この整流器収容部５４は、詳細には、整流器１を構成する第１メッシュユニット１１、第２メッシュユニット１２及び整流板ユニット１３にそれぞれ対応する第１メッシュユニット収容部５４１、第２メッシュユニット収容部５４２及び整流板ユニット収容部５４３から構成されている。特に、整流板ユニット収容部５４３には、流路５３を通過するガス流量を検出するための流量センサ、例えば、マイクロフローセンサ（不図示）の測定面に対応した円形状のセンサ孔５４４が設けられている。
【００４９】
また、このガスメータ本体５には、遮断弁装置、圧力検出器、感震器等の関連部品５５Ａ、５５Ｂ、５５Ｃが所定位置に配置される。また、上記関連部品５５Ａ、５５Ｂ、５５Ｃや流量検出等の各種処理を行うマイコンに電源を供給する複数個の電池５６が、ガスメータ本体５の中央部に配置される。更に、ガスメータ本体５には、上記関連部品５５Ａ、５５Ｂ、５５Ｃや、図示しない表面カバー、裏面カバーをネジ止め固定するための複数のネジ止部５７Ａ、５７Ｂ、５７Ｃ、５７Ｄが設けられている。
【００５０】
このような形状のガスメータ本体５に前述した整流器１が装着される。すなわち、整流器１は、ガスメータ本体５に形成された流路５３の途中にある整流器収容部５４に装着される。詳細には、図１に示す整流器１の一番上に配置される整流板１４１が、図５に示すガスメータ本体５の整流器収容部５４のセンサ孔５４４に対向し、整流器１を構成する第１メッシュユニット１１、第２メッシュユニット１２及び整流板ユニット１３が、整流器収容部５４を構成する第１メッシュユニット収容部５４１、第２メッシュユニット収容部５４２及び整流板ユニット収容部５４３にそれぞれ対応するようにして、整流器１がガスメータ本体５の背面から装着される。
【００５１】
そして、このようにして整流器１が装着されたガスメータ本体５の背面側には、ここでは図示しない裏面カバーが覆設されて、複数のネジ止部５７Ｂを利用してネジ止めされる。この裏面カバーの覆設により、ガスメータ本体５の所定位置に装着された整流器１は、更に安定的に確実にガスメータ本体５に固定される。また、ガスメータ本体５の正面側にも同様に、ここでは図示しない積算流量を表示する表示器や上記マイコン等を搭載した電子基板を挟んで、表示窓部やリセットスイッチ等が配設された表面カバーが覆設されて、複数のネジ止め部５７Ｄを利用してネジ止めされる。このようにして、図１〜図３で示したような整流器１が装着されたガスメータが組み立て完了する。
【００５２】
なお、このようなガスメータでは、流量センサにより検出された流路５３を通過するガス流量を、ここでは図示しないマイコンにより積算して、その値が表示器上に表示される。また、流量等の異常時にはマイコンにより指令されて、流路５３が遮断弁装置により遮断される。
【００５３】
更に、図７及び図８を用いて、整流器１が装着される整流器収容部５４周りの構成について、説明を加える。図７（Ａ）及び図７（Ｂ）はそれぞれ、整流器が装着された状態の整流器収容部周りの構成を示す平面図及びＹＹ線断面図である。図８（Ａ）及び図８（Ｂ）はそれぞれ、図７（Ａ）のＡ部拡大平面図及び図７（Ｂ）のＢ部拡大断面図である。
【００５４】
図７（Ａ）及び図７（Ｂ）に示すように、整流器１がガスメータ本体５の整流器収容部５４に装着された状態では、整流器１を構成する第１メッシュユニット１１及び第２メッシュユニット１２の側面にそれぞれ形成されたリブＬ１、Ｌ２、Ｌ３、Ｌ４、及びリブＬ１１、Ｌ１２、Ｌ１３、Ｌ１４のそれぞれの先端部が整流器収容部５４の内壁に圧着されている。この圧着により装着後に整流器１がガタツキを防止している。また、整流器１を構成する第１メッシュユニット１１、第２メッシュユニット１２と、整流板ユニット１３の高さは若干異なっており、この高さに対応して整流器収容部５４も段差を有している。この高さの差異と段差とが係合するように、整流器１が整流器収容部５４に圧入され、その上から図示しない裏面カバーが覆設されてネジ止め固定される。これにより、整流器１は、非常に安定的に収容部５４に固定される。なお、図中、５３及び５４４は前述した通り流路及びセンサ孔を示す。
【００５５】
また、図８（Ａ）及び図８（Ｂ）の拡大図に示すように、例えば、リブＬ２の高さＨは、整流器１の一部である第１メッシュユニット１１の外側面と整流器収容部５４の内壁とにより形成されるすきまの幅Ｇをやや超えるように形成されている。この高さＨは、先細り形状、すなわち断面三角形状のリブＬ２の先端部が、整流器収容部５４の内壁に圧着されて容易に潰れ、かつこの潰れにより整流器１が整流器収容部５４にガタツキなく固定されるようにするため、予め試験等を通じて求められたものである。このリブＬ２の高さＨは、リブの材質やすき間の幅Ｇを考慮して適宜変更可能である。なお、リブＬ１やここでは図示しない上述の各リブもこれと同様である。
【００５６】
更に、図８（Ｂ）に示すように、リブＬ１及びＬ２はそれぞれ、装着を円滑にするために装着方向に対して所定角度だけ傾斜した傾斜面Ｌ１ａ及びＬ２ａを有する。この傾斜面Ｌ１ａ及びＬ２ａによって、整流器１の装着作業がより容易になる。すなわち、上述したように、装着安定性を高めるため、リブＬ１及びＬ２の高さＨは上記すきまの幅Ｇをやや超えるように形成されているが、この傾斜面Ｌ１ａ、Ｌ２ａを利用することによりスムーズに整流器１を圧入することができるようになる。もちろん、圧入完了後には上述のようにリブが潰れて整流器収容部５４の内壁に圧着されるので、整流器１がガスメータ本体５に長期にわたり安定的に固定される。なお、ここでは図示しない他の各リブも同様の傾斜面を有する。
【００５７】
以上説明したように、本実施形態によれば、本整流器１の外側面の縁部近傍に延設されたリブを利用して整流器１を所定位置にスムーズに誘導することができる。また、リブは装着時に整流器収容部５４の内壁に圧着されて潰れるように所定高さＨの先細り形状をしており、その高さＨは整流器収容部５４の内壁と外側面とにより形成されるすきまの幅Ｇをやや超えるものであるので、整流器収容部５４に対して整流器１を圧入するようにして、少ない力で容易に整流器１を装着することができる。そして、装着完了後には、潰れて圧着されたリブにより、長期にわたり安定的に整流器１が所定位置に保持される。すなわち、本実施形態によれば、装着が容易であり、装着完了後にもガタツキが少ない整流器１が得られ、計測精度も安定する。更に、本整流器１が装着されるガスメータ等の流量計測装置の器差、個体差も小さくすることができる。
【００５８】
なお、本発明は、上述した電子式ガスメータの他、旧来の膜式メータをはじめ、他の流量計測装置にも適用可能である。また、本発明は、整流器１の外形を上記実施形態に示したような箱形に限定するものでなく、整流器収容部５４の内壁に略平行な外側面を有している整流器であれば同様に適用可能である。更に、リブの形状や配置も、本発明の主旨を逸脱しない範囲で変更可能である。
【００５９】
【発明の効果】
以上説明したように、請求項１記載の発明によれば、整流器収容部５４の内壁に略平行な外側面の縁部近傍には、整流器収容部５４への装着方向に略平行に延びるようにリブ（Ｌ１〜Ｌ３、Ｌ１１等）が配設されている。したがって、これを利用して整流器１を所定位置にスムーズに誘導することができる。また、リブ（Ｌ１〜Ｌ３、Ｌ１１等）は、リブは装着時に整流器収容部５４の内壁に圧着されて潰れるように所定高さＨの先細り形状をしており、その高さＨは整流器収容部５４の内壁と外側面とにより形成されるすきまの幅Ｇをやや超えるものであるので、整流器収容部５４に対して整流器１を圧入するようにして、少ない力で容易に整流器１を装着することができる。そして、装着完了後には、潰れて圧着されたリブ（Ｌ１〜Ｌ３、Ｌ１１等）により、長期にわたり安定的に整流器１が所定位置に保持される。すなわち、本発明によれば、装着が容易であり、装着完了後にもガタツキが少ない整流器１が得られ、計測精度も安定する。更に、本整流器１が装着される計測装置の器差、個体差も小さくすることができる。
【００６０】
請求項２記載の発明によれば、リブ（Ｌ１〜Ｌ３、Ｌ１１等）が配設される縁部近傍は、リブが内壁に圧着されて潰れる際に十分な強度を有する筐体部材の厚みＴ１、Ｔ２に相当する部分であるので、装着時及び装着後に整流器１が変形することが少ない。したがって、本発明によれば、更に装着が容易になり、測定精度も安定する。
【００６１】
請求項３記載の発明によれば、リブ（Ｌ１〜Ｌ３、Ｌ１１等）をシンプルな三角柱形状にしたので、リブの形成が容易になるうえ、圧着されて容易にその先端部が潰れるようになる。
【００６２】
請求項４記載の発明によれば、リブ（Ｌ１〜Ｌ３、Ｌ１１等）は、装着方向に対して所定角度だけ傾斜した傾斜面Ｌ１ａ、Ｌ２ａを有するので、整流器１の装着が更に容易になる。すなわち、上述のように、装着安定性を高めるため、リブ（Ｌ１〜Ｌ３、Ｌ１１等）の高さＨは上記すきまの幅Ｇをやや超えるように形成されているが、この傾斜面Ｌ１ａ、Ｌ２ａを利用することによりスムーズに整流器１を圧入することができるようになる。
【００６３】
請求項５記載の発明によれば、リブ（Ｌ１〜Ｌ３、Ｌ１１等）は、整流板ユニット１３を両側から挟む第１及び第２メッシュユニット１１及び１２の外枠部の外側面に配設されているので、圧着部位をより隅部に設定することが可能になり、より装着安定性を高めるための一助となる。
【００６４】
請求項６記載の発明によれば、リブ（Ｌ２１等）は、更に整流板ユニット１３にも配設されているので、上記第１及び第２メッシュユニット１１及び１２に配設されたリブ（Ｌ１〜Ｌ３、Ｌ１１等）と相まって、整流器１の装着安定性が非常に高くなる。
【００６５】
請求項７記載の発明によれば、リブ（Ｌ３１等）は、前記外側面の縁部の全長にわたって連続的に延設されているので、整流器１の圧入及び所定位置への誘導がよりスムーズになるうえ、装着安定性も非常に高くなる。
【００６６】
請求項８記載の発明によれば、リブ（Ｌ１、Ｌ５１等）は、外側面の縁部の上部及び下部にそれぞれ配設されているので、圧着部位が効果的に分散されて、装着安定性も非常に高くなる。
【図面の簡単な説明】
【図１】本発明の整流器の一実施形態を示す斜視図である。
【図２】本発明の整流器の一実施形態を示す分解斜視図である。
【図３】図３（Ａ）、（Ｂ）及び（Ｃ）はそれぞれ、本発明の整流器に係る他の実施形態を示す斜視図である。
【図４】図１及び図２で示した整流器が装着されるガスメータのガスメータ本体の一例を示す平面図である。
【図５】図１及び図２で示した整流器が装着されるガスメータのガスメータ本体の一例を示す背面図である。
【図６】図４におけるＸＸ線断面図である。
【図７】図７（Ａ）及び図７（Ｂ）はそれぞれ、整流器が装着された状態の整流器収容部周りの構成を示す平面図及びＹＹ線断面図である。
【図８】図８（Ａ）及び図８（Ｂ）はそれぞれ、図７（Ａ）のＡ部拡大平面図及び図７（Ｂ）のＢ部拡大断面図である。
【図９】図９は、従来の整流器が設置されたガスメータの一例を示す断面図である。
【符号の説明】
１  整流器
１１  第１メッシュユニット
１２  第２メッシュユニット
１３  整流板ユニット
１４  整流板
１５Ａ、１５Ｂ、１５Ｃ  メッシュ
Ｌ１、Ｌ２、Ｌ３、Ｌ１１  リブ
【図１】
0004053797.tif 000002
【図２】
0004053797.tif 000003
【図３】
0004053797.tif 000004
【図４】
0004053797.tif 000005
【図５】
0004053797.tif 000006
【図６】
0004053797.tif 000007
【図７】
0004053797.tif 000008
【図８】
0004053797.tif 000009
【図９】
0004053797.tif 000010